(57)【要約】      （修正有）【課題】ファン羽根車に対する舌部の相対位置を改善し、送風量を増加させつつ、しかも送風音を減少させることができるようにした高静圧・大風量・低騒音の送風装置を提供する。【解決手段】送風機ケーシング１には前面側に空気吸い込み口５、側方側には空気吹き出し通路６ｂが設けられ、中央部にターボファン８が設置されている。ターボファンからの空気は舌部１０により高静圧化した上で空気吹き出し通路側にスムーズに吹き出しされる。そして該舌部１０は送風機ケーシングの前面側から背面側にかけて、背面側の方が徐々に空気吹き出し通路側に偏位して配置されている。【選択図】図２
2010133623.tif 000002
【特許請求の範囲】
【請求項１】
送風機ケーシングと、該送風機ケーシングの前面側に設けられた空気吸込口と、上記送風機ケーシングの側方側に延びる空気吹出通路と、上記送風機ケーシングの内側にあって上記空気吸込口から上記空気吹出通路に連続する空気吸込通路と、該空気吸込通路と上記空気吹出通路との間に回転可能に設置され、上記空気吸込口側から空気を吸い込み、上記空気吹出通路側遠心方向に空気を吹き出す遠心ファンと、該遠心ファンと上記空気吹出通路との間に設けられ、上記遠心ファンからの空気を上記空気吹出通路側に高静圧化した上でスムーズに吹き出させる舌部とを備えてなる送風装置であって、上記舌部は、上記送風機ケーシングの前面側から背面側にかけて、背面側の方が徐々に空気吹出通路側に偏位して配置されていることを特徴とする送風装置。
【請求項２】
舌部の断面形状は、送風機ケーシングの前面側から背面側にかけて大きさが同じである同一の断面形状であることを特徴とする請求項１記載の送風装置。
【請求項３】
舌部の断面形状は、送風機ケーシングの前面側から背面側にかけて、大きさが次第に小さくなる相似な断面形状であることを特徴とする請求項１記載の送風装置。
【請求項４】
舌部の断面形状は、送風機ケーシングの背面側から前面側にかけて、大きさが次第に小さくなる相似な断面形状であることを特徴とする請求項１記載の送風装置。
【請求項５】
舌部の頂部面には、空気の流れる方向に沿った複数の凹溝部が形成されていることを特徴とする請求項１，２，３又は４記載の送風装置。
【請求項６】
複数の凹溝部は、断面矩形の凹溝であることを特徴とする請求項５記載の送風装置。
【請求項７】
複数の凹溝部は、断面Ｖ字形の凹溝であることを特徴とする請求項５記載の送風装置。
【請求項８】
舌部の少なくとも頂部部分を吸音材によって形成したことを特徴とする請求項１，２，３，４，５，６又は７記載の送風装置。
【請求項９】
空気吹出通路に所望の空気調和手段が設けられ、空気調和機として構成されていることを特徴とする送風装置。
【発明の詳細な説明】
【技術分野】
【０００１】
本願発明は、奥行方向の寸法をコンパクト化するのに適した遠心型の送風装置に関するものである。
【背景技術】
【０００２】
例えば特許文献１に示されるように、箱型の本体ケーシング内に熱交換機等の空気調和手段と遠心ファンとを配置して空気調和を行う空気調和機にあって、十分な送風量を維持して、空気調和機としての性能を低下させることなく、しかも可及的に奥行方向の寸法のコンパクト化（薄型コンパクト化）を図るようにしたものがある。
【０００３】
このような送風装置において、奥行方向の寸法のコンパクト化の要請に対して十分に応えるためには、必要な送風量を維持しつつ、機内の空気通路等を可及的にコンパクト化する必要がある。
【０００４】
しかし、一般に空気通路のコンパクト化は、機内圧力損失の原因になり、ファン羽根車の回転数の増加、送風音の上昇などの、悪影響を及ぼす。
【０００５】
そこで、その解決策として、従来から、例えば特許文献２に示すように、ファン羽根車外周の空気吹出通路の上下両面に２次元的な構造の舌部（羽根車から上下方向に吹き出される吹出気流を側方に向けて吹き出されるようにガイドするとともに動圧を静圧に変えるスクロール面を有した吹出気流ガイド用の案内部材）を設置する構成が用いられている。
【０００６】
この舌部は、例えば図１５および図１６において、符号１０で示されているように、遠心ファン羽根車から空気吹出通路の上面側又は下面側に対して略垂直な方向に吹き出された空気を左右両側にスムーズに吹き分けさせるために、断面山形の本体部材の頂部１０ｃを基準として左右両面側に、曲率および長さの異なる円弧状の気流ガイド面１０ａ，１０ｂを有して構成されている。
【０００７】
そして、該舌部１０の気流ガイド面は、当該遠心ファン羽根車の回転方向に応じ、空気通路における設置場所が上面側右部又は下面側左部の何れであるかによって、ファン羽根車側の気流ガイド面１０ａ側が長く、他方空気吹出通路側気流ガイド面１０ｂ側が短かいものに形成されている（例えば特許文献２の公報図面図４の構成を参照）。
【０００８】
【特許文献１】特開２００６-２９７０２号公報
【特許文献２】特開２００６-２８４０９１号公報
【発明の開示】
【発明が解決しようとする課題】
【０００９】
ところで、予備実験により、上記舌部１０の気流ガイド面１０ａ，１０ｂと遠心ファン羽根車のファン羽根車との距離の関係を調べてみると、図１７、図１８のようになった。すなわち、舌部１０のファン羽根車側気流ガイド面１０ａを遠心ファンのファン羽根車に近づけると、図１７のように送風量が増加するが、それに伴って図１８のように送風音も上昇する。他方、舌部１０のファン羽根車側気流ガイド面１０ａを空気吹出口側に近づけ、ファン羽根車から離すと、送風音が変化しないにも拘わらず、逆に送風量は低下してしまう。
【００１０】
これは舌部１０のファン羽根車側気流ガイド面１０ａが遠心ファンのファン羽根車に近づくと、その分だけ動圧を静圧に変えやすいが、逆に同舌部１０のファン羽根車側気流ガイド面１０ａと遠心ファンのファン羽根車から吹出される気流との干渉による騒音が大きく上昇するためであると考えられる。
【００１１】
一方、逆に同舌部１０のファン羽根車側気流ガイド面１０ａを遠心ファンのファン羽根車から遠ざけると、僅かながら送風量が落ちるが、送風音の方は変わらない。
【００１２】
これらのことより、上述のような送風装置では、ファン羽根車との関係における舌部１０の取り付け位置が送風機の能力に大きな影響を及ぼしていることがわかる。
【００１３】
本願発明は、このような事情に基いてなされたもので、送風量を増加させつつ、送風音を減少させることができる舌部構造を備えた高静圧・大風量・低騒音の送風装置を提供することを目的としている。
【課題を解決するための手段】
【００１４】
本願発明は、上記の課題を解決するために、次のような有効な課題解決手段を備えて構成されている。
【００１５】
（１）  請求項１の発明の課題解決手段
この発明の課題解決手段は、送風機ケーシングと、該送風機ケーシングの前面側に設けられた空気吸込口と、上記送風機ケーシングの側方側に延びる空気吹出通路と、上記送風機ケーシングの内側にあって上記空気吸込口から上記空気吹出通路に連続する空気吸込通路と、該空気吸込通路と上記空気吹出通路との間に回転可能に設置され、上記空気吸込口側から空気を吸い込み、上記空気吹出通路側遠心方向に空気を吹き出す遠心ファンと、該遠心ファンと上記空気吹出通路との間に設けられ、上記遠心ファンからの空気を上記空気吹出通路側に高静圧化した上でスムーズに吹き出させる舌部とを備えてなる送風装置であって、上記舌部は、上記送風機ケーシングの前面側から背面側にかけて、背面側の方が徐々に空気吹出通路側に偏位して配置されていることを特徴としている。
【００１６】
このような構成によると、舌部のファン羽根車側気流ガイド面が、ファン羽根車の軸方向に徐々に離間しながら延びるテーパ形状の配置となることで、ファン羽根車の後流による干渉騒音に対してファン回転軸方向の位置による位相をつけることが出来る。
【００１７】
この結果、前述のような舌部のファン羽根車側気流ガイド面がファン羽根車の回転軸方向と平行な位相差のない従来の送風装置と比較して、より高静圧・大風量・低騒音の送風装置の実現が可能となり、一層の薄型コンパクト化が実現できる。
【００１８】
これにより、ファン羽根車の回転数は若干増加し、同一回転数では送風量が低減されるが、それ以上に送風音を抑えることが出来るようになるので、全風領域において有効に静音化を達成することができる。これは、従来の送風装置に対して、騒音周波数のスペクトルのピークが緩和されることによる。
【００１９】
これらのことから送風装置の大型化・空気通路の拡大を図らずとも、空気調和機等の静音化を達成することができる。
【００２０】
（２）  請求項２の発明の課題解決手段
この発明の課題解決手段は、上記請求項１の発明の課題解決手段の構成において、舌部の断面形状は、送風機ケーシングの前面側から背面側にかけて大きさが同じである同一の断面形状であることを特徴としている。
【００２１】
このように、舌部の断面形状が、送風機ケーシングの前面側から背面側にかけて大きさが同じで同一の断面形状である場合、前述の予備実験から得られた舌部の本体ケーシング背面側における空気吹出通路側への偏位量を参考にして適切な寸法偏位させると、ファン羽根車からの後流の発達が効果的に抑えられて、送風量がアップするとともに送風音が低下する。
【００２２】
（３）  請求項３の発明の課題解決手段
この発明の課題解決手段は、上記請求項１の発明の課題解決手段の構成において、舌部の断面形状は、送風機ケーシングの前面側から背面側にかけて、大きさが次第に小さくなる相似な断面形状であることを特徴としている。
【００２３】
上記舌部の断面形状は、送風機ケーシングの前面側から背面側にかけて、大きさが次第に小さくなる相似な断面形状である場合にも、ほぼ上述した同一断面形状の場合と同様の作用を得ることができる。
【００２４】
（４）  請求項４の発明の課題解決手段
この発明の課題解決手段は、上記請求項１の発明の課題解決手段の構成において、舌部の断面形状は、送風機ケーシングの背面側から前面側にかけて、大きさが次第に小さくなる相似な断面形状であることを特徴としている。
【００２５】
上記舌部の断面形状は、送風機ケーシングの背面側から前面側にかけて、大きさが次第に小さくなる上記請求項３とは逆の相似な断面形状である場合にも、ほぼ上述した同一断面形状の場合と同様の作用を得ることができる。
【００２６】
（５）  請求項５の発明の課題解決手段
この発明の課題解決手段は、上記請求項１，２，３又は４の発明の課題解決手段の構成において、舌部の頂部面には、空気の流れる方向に沿った複数の凹溝部が形成されていることを特徴としている。
【００２７】
このように、舌部の頂部面に、空気の流れる方向に沿った複数の凹溝部が形成されていると、舌部に干渉するファン羽根車の後流を細分化することができるとともに、同後流が頂部に衝突するタイミングを凹部と凸部でズラすことができるので、舌部と羽根車の後流による干渉騒音を低減することが出来る。
【００２８】
（６）  請求項６の発明の課題解決手段
この発明の課題解決手段は、上記請求項５の発明の課題解決手段の構成において、複数の凹溝部は、断面矩形の凹溝であることを特徴としている。
【００２９】
このように、複数の凹溝部が、断面矩形の凹溝である場合には、該断面矩形の凹溝によって、効果的に舌部に干渉するファン羽根車の後流を細分化することができるとともに、同後流が頂部に衝突するタイミングを凹部と凸部でズラすことができるので、舌部と羽根車の後流による干渉騒音を低減することが出来る。
【００３０】
（７）  請求項７の発明の課題解決手段
この発明の課題解決手段は、上記請求項５の発明の課題解決手段の構成において、複数の凹溝部は、断面Ｖ字形の凹溝であることを特徴としている。
【００３１】
このように、複数の凹溝部が、断面Ｖ字形の凹溝である場合には、該断面Ｖ字形の凹溝によって、効果的に舌部に干渉する羽根車の後流を細分化することができるとともに、同後流が頂部に衝突するタイミングを凹部と凸部でズラすことができるので、舌部と羽根車の後流による干渉騒音を低減することが出来る。
【００３２】
（８）  請求項８の発明の課題解決手段
この発明の課題解決手段は、上記請求項１，２，３，４，５，６又は７の発明の課題解決手段の構成において、舌部の少なくとも頂部部分を吸音材によって形成したことを特徴としている。
【００３３】
このように舌部の例えば頂部部分を吸音材によって形成すると、その吸音効果により、舌部と羽根車の後流との干渉によって発生した干渉騒音を可及的に吸音し、そのレベルを低減することが出来る。
【００３４】
（９）  請求項９の発明の課題解決手段
この発明の課題解決手段は、空気吹出通路に所望の空気調和手段が設けられ、空気調和機として構成されていることを特徴としている。
【００３５】
このようにして形成された空気調和機では、送風量を増加させつつ、かつ可及的に送風音を減少させることができる高静圧・大風量・低騒音の送風性能を有した高性能の空気調和機を提供することが可能となる。
【発明の効果】
【００３６】
以上の結果、本願発明によると、より有効に装置本体の薄型、コンパクト化を図りながら、しかも送風性能・静音性能の高い送風装置および同送風装置を備えた所望の空気調和機用室内機を実現することができるようになる。
【発明を実施するための最良の形態】
【００３７】
（最良の実施の形態１）
図１〜図７は、本願発明の最良の実施の形態１に係る送風装置を備えて構成された空気調和機用室内機の構成および作用を示している。
【００３８】
先ず図１〜図４中、符号１は、例えば中央に１台のターボファン８およびその左右両側に各１台の空気熱交換器９，９を具備した当該空気調和機用室内機の左右方向に長く前後方向に偏平なカセット型の本体ケーシングを示している。該本体ケーシング１は、その背面側に後述するターボファン８のファンモータ８ｂの取付面となる背面パネル（背面板）１ａ、左右両端面側に側面パネル（側面板）１ｂ，１ｂ、前面側に吸気・吹出パネル（前面板）１ｃ、上面側に上面パネル（天板）１ｄ、下面側に下面パネル（底板）１ｅ、下面パネル１ｅの下部にドレンパン３がそれぞれ設けられている。
【００３９】
そして、上記本体ケーシング１の上記前面側吸気・吹出パネル１ｃには、その中央部にベルマウスとしての漏斗状の空気吸込口５が設けられ、さらに、その内側には、遠心送風機として奥行方向の軸長が小さいターボファン８が設けられている。
【００４０】
このターボファン８は、主板８ｄの外周部と環状のシュラウド８ｃとの間に多数枚の翼８ａ，８ａ・・・を具備し、主板８ｄの中央部を上記ファンモータ８ｂの回転軸に連結して構成されている。
【００４１】
また、上記本体ケーシング１の吸気・吹出パネル１ｃの上記空気吸込口５の左右両側には、それぞれ所定の幅で上下方向に延びる一対の長方形状の空気吹出口７，７が設けられている。
【００４２】
そして、上記本体ケーシング１内には、上記前面側ベルマウス構造の空気吸込口５から上記背面パネル１ａ方向に到る空気吸込通路６ａと該空気吸込通路６ａの下流から上記左右両側の空気吹出口７，７方向に到る２方向の空気吹出通路６ｂ，６ｂが形成されており、該空気吸込通路６ａと空気吹出通路６ｂ，６ｂとの間に、上記空気吸込口（ベルマウス）５の背後に位置し、かつ、その空気吸込側シュラウド８ｃを遊嵌させる形でターボファン８が設置され、該ターボファン８が、その羽根車内側に収納される形のファンモータ８ｂを介して上記本体ケーシング１の背面パネル１ａに対して取付けられている。
【００４３】
また、空気吹出通路６ｂ，６ｂには、それぞれその下流側空気吹出口７，７に対応する位置に空気熱交換器９，９が設けられている。これら左右一対の空気熱交換器９，９は、上記本体ケーシング１内中央部のファン羽根車から左右に延びる左右一対の空気吹出通路６ｂ，６ｂの各々において、例えば後方から見て相互にハの字を形成するように十分に傾斜させて設けられている。
【００４４】
このように左右一対の空気熱交換器９，９が、本体ケーシング１内の中央部から左右に延びる一対の空気吹出通路６ｂ，６ｂの各々において、相互にハの字を形成するように十分に傾斜して設けられていると、例えば図２から明らかなように、必要な熱交換面積を十分に広く確保しながら、室内機本体の前後方向厚さ（奥行寸法）を可及的に小さくすることができ、より一層室内機本体の薄型化を図ることができる。
【００４５】
また、この実施の形態の場合、同空気熱交換器９，９には、例えば一例として偏平な伝熱管（多穴管）および偏平な伝熱フィン（一例としてコルゲートフィン）を備えた極めて伝熱性能の高いコンパクトなアルミ積層熱交換器が採用されている。
【００４６】
ところで、このような空気調和機用室内機において、装置コンパクト化の要請に対して十分に応えるためには、先にも述べたように、その送風量を十分に維持しつつ、上記空気吸込通路６ａないし空気吹出通路６ｂ等を可及的にコンパクトなものにする必要がある。
【００４７】
しかし、これら空気通路のコンパクト化は、すでに述べたように、機内圧力損失の原因になり、ファン回転数の増加、送風音の上昇などの、悪影響を及ぼす。
【００４８】
そこで、その解決策として、すでに述べたように従来の構成では、上述した空気吹出通路６ｂ，６ｂのファン羽根車を挟む位置にファン羽根車の回転軸方向に平行に伸びる２次元的な舌部（スクロール）１０，１０が設けられていた。
【００４９】
このような舌部１０，１０とファン羽根車の距離との関係を予備実験により調べてみると、舌部１０，１０（そのファン羽根車側気流ガイド面１０ａ，１０ａ）をファン羽根車に近づけると、静圧の上昇により送風量は増加するが、送風音も上昇する。他方、同舌部１０，１０（その空気通路側気流ガイド面１０ｂ，１０ｂ）を空気吹出口７，７側に近づける（ファン羽根車側気流ガイド面１０ａ，１０ａをファン羽根車から遠ざける）と、送風音は変化しないが、逆に静圧の低下により送風量が低下してしまう。
【００５０】
これは舌部１０，１０（その気流ガイド面１０ａ，１０ａ）がファン羽根車に近づくと、その分だけ動圧を静圧に変えやすいが、逆に舌部１０，１０の気流ガイド面１０ａ，１０ａとファン羽根車から吹出される気流との干渉騒音が上昇するためである。
【００５１】
一方、逆に舌部１０，１０（気流ガイド面１０ａ，１０ａ）をファン羽根車から遠ざけると、僅かながら送風量が落ちるが、送風音の方は変わらない。
【００５２】
これらのことより、ファン羽根車との関係における舌部１０，１０の設置状態が送風装置の能力に大きな影響を及ぼしていることがわかった。
【００５３】
そこで、この実施の形態では、これらのことを前提として、上記機内通路である空気吹出通路６ｂ，６ｂのファン羽根車と空気熱交換器９，９との間の上面パネル１ｄ部分と下面パネル１ｅ部分に、上記ターボファン８の羽根車からの吹出空気を上記ファン羽根車外周から上記左右空気吹出通路６ｂ，６ｂ側水平方向に高静圧化した上でスムーズに吹き出させる舌部１０，１０を設けるとともに、該舌部１０，１０を、従来のようにファン回転軸と平行ではなく、例えば図２〜図４に示すように、上記本体ケーシング１の前面側から背面側にかけて、背面側の方を徐々に空気吹出通路６ｂ，６ｂ側に所定寸法α［ｍｍ］偏位させて配置したことを特徴としている。
【００５４】
この結果、舌部１０，１０のファン羽根車側の気流ガイド面（スクロール面）１０ａ，１０ａが、ファン回転軸の奥行方向に次第に離間したテーパ形状をなす配置となり、ファン羽根車の後流による干渉騒音に対して奥行方向の位相をつけることが出来るようになる。
【００５５】
この結果、前述の従来の送風装置と比較して、より高静圧・大風量・低騒音の送風装置の実現が可能となり、空気調和機用室内機の一層の薄型化が実現できる。
【００５６】
すなわち、このようにすると、例えば図５（回転数−風量特性）に示すように、背面側の静圧上昇量が低下する分だけ回転数は若干増加し、同一回転数では送風量が低減されるが、一方図６（風量−送風音特性）に示すように、それ以上に送風音を抑えることが出来るようになるので、全風領域において静音化が達成できる。これは、例えば図７（送風音−周波数特性）から明らかなように、従来の送風装置に対して送風音の周波数スペクトルのピークが緩和されることによる。これらのことから送風装置の大型化・機内通路の拡大を図らずとも、空気調和機用室内機の静音化が達成できる。
【００５７】
また、この実施の形態の場合、例えば図３（平面）と図４（断面）の対比から明らかなように、上記舌部１０，１０の断面形状は、送風機本体ケーシング１の前面側から背面側にかけて同一の断面形状（同一寸法、同一形状でリニアに傾斜）としている。
【００５８】
このように、舌部１０，１０の断面形状が、本体ケーシング１の前面側から背面側にかけて同一の断面形状で背面方向にリニアに傾斜偏位するものである場合、上記予備実験から得られた偏位量α［ｍｍ］を参考にし、製品の形態（特性）に応じて適切な寸法αを決定すれば、有効に後流の発達が抑えられることが判明した。
【００５９】
（変形例）
ところで、以上に述べた舌部１０，１０は、次に示すような種々の変形が可能である。
【００６０】
（１）  変形例１
上記実施の形態の構成では、舌部１０，１０の断面形状が、本体ケーシング１の前面側から背面側にかけて全く同じ大きさで同一の断面形状であったが、これは、例えば図８および図９に示すように、本体ケーシング１の前面側から背面側にかけて、全体の大きさが次第に小さくなる相似な断面形状のものとすることもできる。
【００６１】
このように、舌部１０，１０の断面形状を、本体ケーシング１の背面側から前面側にかけて、全体の大きさが次第に小さくなる相似な断面形状とした場合にも、ほぼ上述した同一断面形状の場合と同様の作用を得ることができる。
【００６２】
（２）  変形例２
上記実施の形態の構成では、舌部１０，１０の断面形状が、本体ケーシング１の前面側から背面側にかけて同一の断面形状であったが、これは、例えば図１０および図１１に示すように、上記変形例１とは逆に、本体ケーシング１の背面側から前面側にかけて、全体の大きさが次第に小さくなる相似な断面形状のものとすることもできる。
【００６３】
このように、舌部１０，１０の断面形状を、本体ケーシング１の背面側から前面側にかけて、全体の大きさが次第に小さくなる相似な断面形状とした場合にも、ほぼ上述した同一断面形状の場合と同様の作用を得ることができる。
【００６４】
（３）  変形例３
上記実施の形態の構成では、舌部１０，１０の頂部１０ｃが、本体ケーシング１の前面側から背面側にかけて全体に滑らかな円弧面形状であったが、これは、例えば図１２に示すように、空気の流れる方向に沿った断面矩形（コの字状）の複数の凹溝部１１，１１・・・を形成したものとしてもよい。
【００６５】
このように、舌部１０，１０の頂部１０ｃ面に、空気の流れる方向に沿った該断面矩形の複数の凹溝部１１，１１・・・が形成されていると、ファン羽根車からの後流を細分化することができるとともに、ファン羽根車から放出された後流が舌部１０の頂部１０ｃに当るタイミングを凹部と凸部でズラすことができるので、舌部１０，１０とファン羽根車の後流による干渉騒音（ＮＺ音）を効果的に低減させることが出来る。
【００６６】
（４）  変形例４
上記実施の形態の構成では、舌部１０，１０の頂部１０ｃが、本体ケーシング１の前面側から背面側にかけて全体に滑らかな円弧面形状であったが、これは、例えば図１３に示すように、空気の流れる方向に沿った断面Ｖ字形の複数の凹溝部１２，１２・・・を形成したものとしてもよい。
【００６７】
このように、舌部１０，１０の頂部１０ｃ面に、空気の流れる方向に沿った該断面Ｖ字形の複数の凹溝部１２，１２・・・が形成されていると、ファン羽根車の後流を細分化することができるとともに、ファン羽根車から放出された後流が舌部１０の頂部１０ｃに当るタイミングを凹部と凸部でズラすことができるので、舌部１０，１０とファン羽根車の後流による干渉騒音（ＮＺ音）を効果的に低減させることが出来る。
【００６８】
（５）  変形例５
上記実施の形態の構成では、舌部１０，１０の全体が、本体ケーシング１の前面側から背面側にかけて全く同一の素材により構成されるようにしたが、これは、例えば図１４に示すように、少なくとも舌部１０，１０の頂部１０ｃ，１０ｃ部分を、例えば発泡性樹脂等の吸音材（図示ドット表示部参照）によって形成することができる。
【００６９】
このように舌部１０，１０の少なくとも頂部１０ｃ，１０ｃ部分を吸音材によって形成すると、その吸音効果により、上記舌部１０，１０とファン羽根車の後流との干渉によって発生した干渉騒音（ＮＺ音）を可及的に吸音し、そのレベルを有効に低減することが出来る。
【００７０】
（適用形態）
以上の実施の形態では、本願発明の送風装置を、一例として温調用の空気熱交換器９，９を備えた空気調和機用室内機に適用した場合について説明したが、これは、例えば同温調用空気熱交換器９，９に変えて、本件出願人が先に提案した特願２００７−１８８５８９号の明細書および図面に示されるような、空気清浄フィルタを採用した空気清浄機等の空気調和機の場合にも全く同様に適用することができる。
【図面の簡単な説明】
【００７１】
【図１】本願発明の最良の実施の形態に係る送風装置を備えて構成された空気調和機用室内機の構成を示す上下方向の断面図（吸気吹出パネル切欠図）である。
【図２】同空気調和機用室内機の構成を示す水平方向の断面図（上面パネル切欠図）である。
【図３】同空気調和機用室内機の舌部の構成を示す平面図である。
【図４】同空気調和機用室内機の舌部の構成を示す正面図である。
【図５】同空気調和機用室内機の舌部の作用を示す回転数−風量（Ｎ−Ｑ）特性図である。
【図６】同空気調和機用室内機の舌部の作用を示す風量−送風音（Ｑ−ＳＰＬ（Ａ））特性図である。
【図７】同空気調和機用室内機の舌部の作用を示す送風音の周波数スペクトル分布図である。
【図８】同空気調和機用室内機の変形例１に係る舌部の構成を示す平面図である。
【図９】同空気調和機用室内機の変形例１に係る舌部の構成を示す正面図である。
【図１０】同空気調和機用室内機の変形例２に係る舌部の構成を示す平面図である。
【図１１】同空気調和機用室内機の変形例２に係る舌部の構成を示す正面図である。
【図１２】同空気調和機用室内機の変形例３に係る舌部の構成を示す正面図である。
【図１３】同空気調和機用室内機の変形例４に係る舌部の構成を示す斜視図である。
【図１４】同空気調和機用室内機の変形例５に係る舌部の構成を示す斜視図である。
【図１５】従来の送風装置における舌部の構成を示す平面図である。
【図１６】同従来の送風装置の舌部の構成を示す正面図である。
【図１７】同従来の送風装置において、舌部とファンとの関係を検討した時の回転数−風量（Ｎ−Ｑ）特性図である。
【図１８】同従来の送風装置において、舌部とファンとの関係を検討した時の風量−送風音（Ｑ−ＳＰＬ（Ａ））特性図である。
【符号の説明】
【００７２】
１は本体ケーシング、１ａは背面パネル、１ｂは側面パネル、１ｃは吸気・吹出パネル、１ｄは上面パネル、１ｅは下面パネル、３はドレンパン、５は空気吸込口、６は空気吹出通路、７は空気吹出口、８はターボファン、９は空気熱交換器、１０は舌部、１０ａ，１０ｂは気流ガイド面、１０ｃは頂部、１１は断面矩形の凹溝部、１２は断面Ｖ字形の凹溝部である。
【図１】
2010133623.tif 000003
【図２】
2010133623.tif 000004
【図３】
2010133623.tif 000005
【図４】
2010133623.tif 000006
【図５】
2010133623.tif 000007
【図６】
2010133623.tif 000008
【図７】
2010133623.tif 000009
【図８】
2010133623.tif 000010
【図９】
2010133623.tif 000011
【図１０】
2010133623.tif 000012
【図１１】
2010133623.tif 000013
【図１２】
2010133623.tif 000014
【図１３】
2010133623.tif 000015
【図１４】
2010133623.tif 000016
【図１５】
2010133623.tif 000017
【図１６】
2010133623.tif 000018
【図１７】
2010133623.tif 000019
【図１８】
2010133623.tif 000020